(57)【要約】【課題】物品の種別に応じて保護フィルムを容易に切り出す。【解決手段】保護フィルム切出システムは、情報生成装置１とクライアント端末２を備える。情報生成装置１は、物品を構成するパーツの形状を示す複数の形状情報を、物品の種別に関連付けて記憶する記憶部１１と、選択されたパーツ画像に対応する形状情報に基づいて切出し用データを作成してプロッタに出力する出力制御部１２３とを有し、クライアント端末２は、選択された物品の種別に関連付けられた複数の形状情報に対応する複数のパーツ画像を、表示部２２の一部の領域である第１表示領域に表示させる表示制御部２４１と、第１表示領域に表示された複数のパーツ画像のうち、保護フィルムから切り出す対象となるパーツ画像の選択を受け付ける選択受付部２４２とを有する。【選択図】図５
2015114767.tif 000002
【特許請求の範囲】
【請求項１】
端末と、前記端末と通信可能な、前記端末に表示する情報を生成する情報生成装置とを備える保護フィルム切出システムであって、
前記情報生成装置は、
物品を構成するパーツの形状を示す複数の形状情報を、物品の種別に関連付けて記憶する記憶部を有し、
前記情報生成装置及び前記端末の少なくともいずれかは、
選択された物品の種別に関連付けられた前記複数の形状情報に対応する複数のパーツ画像を、前記端末の表示部の一部の領域である第１表示領域に表示させる表示制御部と、
前記第１表示領域に表示された前記複数のパーツ画像のうち、保護フィルムから切り出す対象となるパーツ画像の選択を受け付ける選択受付部と、
選択されたパーツ画像に対応する前記形状情報に基づいて切出し用データを作成してプロッタに出力する出力制御部とを有する、
保護フィルム切出システム。
【請求項２】
前記表示制御部は、選択された前記パーツ画像を前記第１表示領域と異なる第２表示領域に表示させる、
請求項１に記載の保護フィルム切出システム。
【請求項３】
複数の形状情報に対応するパーツ画像のそれぞれと、関連する他の前記形状情報に対応するパーツ画像とは、互いに前記第２表示領域に配置された際の相対的な配置位置が関連付けられており、
前記表示制御部は、選択されたパーツ画像を前記第２表示領域に表示させるとともに、関連する他のパーツ画像を、前記相対的な配置位置に基づいて前記第２表示領域に表示させる、
請求項２に記載の保護フィルム切出システム。
【請求項４】
前記表示制御部は、選択されたパーツ画像の前記第２表示領域における表示倍率を受け付け、その後選択されたパーツ画像についても、受け付けた拡大率に基づいて前記第２表示領域に表示させる、
請求項２又は３に記載の保護フィルム切出システム。
【請求項５】
前記情報生成装置及び前記端末の少なくともいずれかは、
前記第２表示領域に配置されたパーツ画像の形状と、前記パーツ画像が配置された位置とに基づいて、前記保護フィルムの切出しにかかるコストを算出するコスト算出部をさらに有し、
前記情報生成装置は、
前記コスト算出部が算出した前記コストと、当該コストに対応するパーツの組み合わせと、当該コストに対応する複数の前記パーツ画像の配置位置とを関連付けて前記記憶部に記憶させる記憶制御部をさらに有し、
前記情報生成装置及び前記端末の少なくともいずれかは、
前記選択受付部が複数の前記パーツ画像を受け付けたことに応じて、前記記憶部に記憶され、当該複数の前記パーツ画像に対応するコストのうち、最も低いコストに対応する前記複数の前記パーツ画像の配置位置を通知する通知部をさらに有する、
請求項２から４のいずれか１項に記載の保護フィルム切出システム。
【請求項６】
前記表示制御部は、前記物品の部位を特定する複数の部位特定情報を、前記端末に表示させ、
前記選択受付部は、前記複数の部位特定情報からの選択を受け付け、
前記表示制御部は、選択された部位特定情報に対応する前記パーツ画像を他のパーツ画像と異なる態様で表示させる、
請求項２から５のいずれか１項に記載の保護フィルム切出システム。
【請求項７】
前記表示制御部は、選択された前記部位特定情報に対応するパーツ画像を、選択された順番に基づいて前記第２表示領域に配置して表示させる、
請求項６に記載の保護フィルム切出システム。
【請求項８】
前記表示制御部は、前記複数の部位特定情報から、前記第２表示領域に表示されているパーツ画像に対応する部位特定情報が選択されると、アラート表示する、
請求項６又は７に記載の保護フィルム切出システム。
【請求項９】
前記情報生成装置及び前記端末の少なくともいずれかは、
前記選択されたパーツ画像に対応する前記形状情報に基づく切出し用データの作成を受け付ける作成受付部をさらに有し、
前記出力制御部は、前記作成受付部が前記切出し用データの作成を受け付けると、選択されたパーツ画像に対応する前記形状情報に基づいて前記切出し用データを作成して前記プロッタに出力する、
請求項２から８のいずれか１項に記載の保護フィルム切出システム。
【請求項１０】
前記作成受付部は、前記第２表示領域に前記パーツ画像が配置されている場合に、前記プロッタへの切出し用データの作成を受け付ける、
請求項９のいずれか１項に記載の保護フィルム切出システム。
【請求項１１】
前記記憶部は、前記複数の形状情報を前記物品の部位を示す部位情報にさらに関連付けて記憶し、
前記表示制御部は、前記部位情報を、前記パーツ画像に関連付けて前記第１表示領域に表示させる、
請求項１から１０のいずれか１項に記載の保護フィルム切出システム。
【請求項１２】
通信可能な端末に表示する情報を生成する情報生成装置であって、
物品を構成するパーツの形状を示す複数の形状情報を、物品の種別に関連付けて記憶する記憶部と、
選択された物品の種別に関連付けられた前記複数の形状情報に対応する複数のパーツ画像を、前記端末の第１表示領域に表示させる表示制御部と、
前記第１表示領域に表示された前記複数のパーツ画像のうち、保護フィルムから切り出す対象となるパーツ画像の選択を受け付け、選択されたパーツ画像に対応する前記形状情報に基づいて切出し用データを生成してプロッタに出力する出力制御部と、
を備える、情報生成装置。
【発明の詳細な説明】
【技術分野】
【０００１】
本発明は、保護フィルム切出システム及び情報生成装置に関する。
【背景技術】
【０００２】
従来、自動車のボディ、建物の窓ガラス等のパーツ、情報端末のディスプレイ等のパーツをキズや汚れから保護するために、保護フィルムを貼り付けることが行われている。
【先行技術文献】
【特許文献】
【０００３】
【特許文献１】特開２０１２−１０１７７２号公報
【発明の概要】
【発明が解決しようとする課題】
【０００４】
ところで、保護フィルムを貼り付ける対象となる物品に保護フィルムを貼り付けるには、物品に合わせて保護フィルムを切り出す必要がある。例えば、保護フィルムを自動車のボディに貼り付けるには、ボディを構成する各パーツに合わせて保護フィルムを切り出す必要がある。この切出しは、例えば以下のように行われる。まず、各パーツに型取りシートを当てて、各パーツのエッジに沿って大まかに型を取る。続いて、この型取りシートを用いて、保護フィルムを手動で切出しを行う。【０００５】
しかしながら、各パーツは曲面を有したり凹凸を有したりするので、このような方法では、精度が低いという問題がある。また、各パーツのエッジに沿って大まかに型を取らずに、保護フィルムを車両のボディ等の物品に直接貼り付けた状態で、各パーツの縁に沿って保護フィルムを切り出す方法もあるが、物品の表面等を傷つけてしまうおそれがある。【０００６】
施工店では、ユーザからの依頼に応じて、その都度上述したような作業を行っている。しかしながら、ユーザが依頼する車両の車種、建物の窓の種別、情報端末の種別等の物品の種別は多岐にわたるので、施工店では、物品の種別ごとに型取りを行うか、もしくは物品に保護フィルムを直接貼り付けてから保護フィルムをカットする必要があり、結果として、保護フィルムの切出し作業が煩雑なものとなっていた。【０００７】
本発明は、物品の種別に応じて保護フィルムを容易に切り出すことができる保護フィルム切出システム及び情報生成装置を提供することを目的とする。
【課題を解決するための手段】
【０００８】
本発明の第１の態様に係る保護フィルム切出システムは、端末と、前記端末と通信可能な、前記端末に表示する情報を生成する情報生成装置とを備える保護フィルム切出システムであって、前記情報生成装置は、物品を構成するパーツの形状を示す複数の形状情報を、物品の種別に関連付けて記憶する記憶部を有し、前記情報生成装置及び前記端末の少なくともいずれかは、選択された物品の種別に関連付けられた前記複数の形状情報に対応する複数のパーツ画像を、前記端末の表示部の一部の領域である第１表示領域に表示させる表示制御部と、前記第１表示領域に表示された前記複数のパーツ画像のうち、保護フィルムから切り出す対象となるパーツ画像の選択を受け付ける選択受付部と、選択されたパーツ画像に対応する前記形状情報に基づいて切出し用データを作成してプロッタに出力する出力制御部とを有する。【０００９】
このようにすることで、保護フィルム切出システムは、選択された物品の種別に対応して第１表示領域に表示された複数のパーツ画像のうち、選択されたパーツ画像に対応する形状情報に基づいて切出し用データを作成してプロットに出力するので、端末のユーザは、物品の種別に応じてパスデータを作成することなく、保護フィルムを容易に切り出すことができる。【００１０】
また、前記表示制御部は、選択された前記パーツ画像を前記第１表示領域と異なる第２表示領域に表示させてもよい。
このようにすることで、端末のユーザは、保護フィルムに切り出すパーツ画像を容易に確認することができる。【００１１】
また、複数の形状情報に対応するパーツ画像のそれぞれと、関連する他の前記形状情報に対応するパーツ画像とは、互いに前記第２表示領域に配置された際の相対的な配置位置が関連付けられており、前記表示制御部は、選択されたパーツ画像を前記第２表示領域に表示させるとともに、関連する他のパーツ画像を、前記相対的な配置位置に基づいて前記第２表示領域に表示させてもよい。
例えば、相対的な配置位置を、保護フィルムにおいて最適な配置位置とすることにより、第２表示領域には、選択したパーツ画像と、関連する他のパーツ画像とが、保護フィルムの切出し時のロスが少なくなるように配置されるので、切出しに係るコストを削減することができる。【００１２】
また、前記表示制御部は、選択されたパーツ画像の前記第２表示領域における表示倍率を受け付け、その後選択されたパーツ画像についても、受け付けた拡大率に基づいて前記第２表示領域に表示させてもよい。
このようにすることで、第２表示領域に表示されるパーツ画像を、受け付けた拡大率で表示させることができる。【００１３】
また、前記情報生成装置及び前記端末の少なくともいずれかは、前記第２表示領域に配置されたパーツ画像の形状と、前記パーツ画像が配置された位置とに基づいて、前記保護フィルムの切出しにかかるコストを算出するコスト算出部をさらに有し、前記情報生成装置は、前記コスト算出部が算出した前記コストと、当該コストに対応するパーツの組み合わせと、当該コストに対応する複数の前記パーツ画像の配置位置とを関連付けて前記記憶部に記憶させる記憶制御部をさらに有し、前記情報生成装置及び前記端末の少なくともいずれかは、前記選択受付部が複数の前記パーツ画像を受け付けたことに応じて、前記記憶部に記憶され、当該複数の前記パーツ画像に対応するコストのうち、最も低いコストに対応する前記複数の前記パーツ画像の配置位置を通知する通知部をさらに有していてもよい。
このようにすることで、端末のユーザは、新たに物品の種別を選択し、複数のパーツ画像を選択した際に、最も切出しコストが低いパーツ画像の配置位置に基づいて切出しを行うことができる。【００１４】
また、前記表示制御部は、前記物品の部位を特定する複数の部位特定情報を、前記端末に表示させ、前記選択受付部は、前記複数の部位特定情報からの選択を受け付け、前記表示制御部は、選択された部位特定情報に対応する前記パーツ画像を他のパーツ画像と異なる態様で表示させてもよい。
このようにすることで、端末のユーザは、選択したパーツ画像を容易に確認することができる。【００１５】
また、前記表示制御部は、選択された前記部位特定情報に対応するパーツ画像を、選択された順番に基づいて前記第２表示領域に配置して表示させてもよい。
このようにすることで、第２表示領域には端末のユーザが選択した順番でパーツ画像が表示される。よって、端末のユーザは、第２表示領域に配置されたパーツ画像が選択順に切り出しされることを容易に確認することができるので、切り出される順番をイメージしながら作業を進めることができる。【００１６】
また、前記表示制御部は、前記複数の部位特定情報から、前記第２表示領域に表示されているパーツ画像に対応する部位特定情報が選択されると、アラート表示してもよい。
このようにすることで、第２表示領域に同一のパーツ画像が表示され、重複して切出しが行われることをユーザに通知することができるので、ユーザが意図しない重複したパーツ画像の切出しを防止することができる。【００１７】
また、前記情報生成装置及び前記端末の少なくともいずれかは、前記選択されたパーツ画像に対応する前記形状情報に基づく切出し用データの作成を受け付ける作成受付部をさらに有し、前記出力制御部は、前記作成受付部が前記切出し用データの作成を受け付けると、選択されたパーツ画像に対応する前記形状情報に基づいて前記切出し用データを作成して前記プロッタに出力させてもよい。
作成受付部は、例えば、プロッタ切出ボタンであり、端末のユーザは、選択したパーツ画像を画面で確認してからプロッタ切出ボタンを押すことで、切り出し用データのプロッタをプロッタに出力できる。このようにすることで、端末のユーザは、選択したパーツ画像に過不足が生じていないかどうかを確認したうえで切出し用データの作成を行うことができるので、誤ったパーツを切り出すことを防止できる。【００１８】
また、前記作成受付部は、前記第２表示領域に前記パーツ画像が配置されている場合に、前記プロッタへの切出し用データの作成を受け付けてもよい。
このようにすることで、第２表示領域にパーツ画像が表示されておらず、画像データの切出しが行われない場合に、切出し用データの作成を防止することができる。【００１９】
また、前記記憶部は、前記複数の形状情報を前記物品の部位を示す部位情報にさらに関連付けて記憶し、前記表示制御部は、前記部位情報を、前記パーツ画像に関連付けて前記第１表示領域に表示させてもよい。
このようにすることで、第１表示領域に表示されるパーツ画像に、物品の部位を示す部位情報が関連付けて表示されるので、端末のユーザは、パーツ画像がどの部位に対応しているものなのかを容易に確認することができる。【００２０】
本発明の第２の表示態様に係る情報生成装置は、通信可能な端末に表示する情報を生成する情報生成装置であって、物品を構成するパーツの形状を示す複数の形状情報を、物品の種別に関連付けて記憶する記憶部と、選択された物品の種別に関連付けられた前記複数の形状情報に対応する複数のパーツ画像を、前記端末の第１表示領域に表示させる表示制御部と、前記第１表示領域に表示された前記複数のパーツ画像のうち、保護フィルムから切り出す対象となるパーツ画像の選択を受け付け、選択されたパーツ画像に対応する前記形状情報に基づいて切出し用データを生成してプロッタに出力する出力制御部と、を備える。
第２の態様に係る情報生成装置によれば、第１の態様に係る保護フィルム切出システムと同等の効果を奏することができる。
【発明の効果】
【００２１】
本発明によれば、物品の種別に応じて保護フィルムを容易に切り出すことができる。
【図面の簡単な説明】
【００２２】
【図１】第１の実施形態に係る保護フィルム切出システムの概要図である。
【図２】第１の実施形態に係る情報生成装置の機能構成図である。
【図３】第１の実施形態に係る検索ＤＢに格納される情報の一例を示す図である。
【図４】第１の実施形態に係るパスデータＤＢに格納される情報の一例を示す図である。
【図５】第１の実施形態に係るクライアント端末の機能構成図である。
【図６】第１の実施形態に係るパスデータを編集するための編集ページが表示されるまでのシーケンス図である。
【図７】第１の実施形態に係る情報生成装置が生成したトップページの一例を示す図である。
【図８】第１の実施形態に係る情報生成装置が生成した編集ページの一例を示す図である。
【図９】第１の実施形態に係るツールバーの拡大図である。
【図１０】第１の実施形態に係るラップ幅の調整画面の一例を示す図である。
【図１１】第１の実施形態に係るパーツの頂点におけるラップの状態を示す図である。
【図１２】第１の実施形態に編集ページが表示されてから編集終了までのシーケンス図である。
【図１３】第２の実施形態に係る相対位置ＤＢに格納される情報の一例を示す図である。
【図１４】第２の実施形態の選択受付部により、選択されたパーツ画像と、関連する他のパーツ画像とがパスデータ印刷領域に表示された例を示す図である。
【図１５】第３の実施形態に係るコストＤＢに格納される情報の一例を示す図である。
【図１６】第３の実施形態に係るクライアント端末の機能構成図である。
【発明を実施するための形態】
【００２３】
以下、本発明の実施形態について説明する。まず、保護フィルムを貼り付ける対象となる物品が自動車である実施形態について説明する。
＜第１の実施形態＞
［保護フィルム切出システムＳの概要］
図１は、第１の実施形態に係る保護フィルム切出システムＳの概要図である。保護フィルム切出システムＳは、保護フィルムの切出しに係るサービスを提供する情報生成装置１と、複数のクライアント端末２（クライアント端末２Ａ、２Ｂ・・・）と、複数のプロッタ３（プロッタ３Ａ、３Ｂ・・・）と、複数のルータ４（ルータ４Ａ、４Ｂ、・・・）とを備えている。クライアント端末２とプロッタ３とは、ルータ４に接続されている。情報生成装置１とルータ４とは、通信ネットワークＮを介して通信可能に接続されており、クライアント端末２は、ルータ４及び通信ネットワークＮを介して情報生成装置１と通信可能に接続されている。
【００２４】
まず、情報生成装置１は、クライアント端末２から、ユーザを識別するユーザＩＤとパスワードとＭＡＣアドレスとを受け付け、クライアント端末２の認証を行う。そして、情報生成装置１は、クライアント端末２の認証に成功すると、サービスの提供に係るトップページをクライアント端末２に送信し、クライアント端末２にトップページを表示させる。
【００２５】
続いて、情報生成装置１は、クライアント端末２から、トップページを介して保護フィルムを貼り付ける対象となる車両のメーカーや車種といった検索条件を受け付ける。そして、情報生成装置１は、当該検索条件に基づいてパスデータを検索し、パスデータを選択するための検索結果をクライアント端末２に表示させる。ここで、パスデータは、車両を構成するパーツの形状を示し、保護フィルムのカットラインとなる複数の形状情報のセットから構成されるデータである。
【００２６】
続いて、情報生成装置１は、クライアント端末２からパスデータの選択を受け付けると、選択されたパスデータに対応する複数のパーツ画像を含む編集ページをクライアント端末２に表示させる。続いて、情報生成装置１は、クライアント端末２に表示された編集ページに含まれる複数のパーツ画像のうち、保護フィルムから切り出す対象となるパーツ画像の選択を受け付ける。続いて、情報生成装置１は、選択されたパーツ画像に対応する切出し用データを生成し、クライアント端末２を介してプロッタ３に出力する。
【００２７】
［情報生成装置１の構成例］
続いて、情報生成装置１が備える機能について説明する。図２は、第１の実施形態に係る情報生成装置１の機能構成図である。
情報生成装置１は、記憶部１１と、制御部１２とを備える。
【００２８】
記憶部１１は、例えば、ＲＯＭ（Read Only Memory）、ＲＡＭ（Random Access Memory）、ハードディスク、及び情報生成装置１に接続された外部記憶装置等により構成される。この外部記憶装置は、情報生成装置１に直接接続されていてもよいし、通信ネットワークＮを介して通信可能に接続されていてもよい。
【００２９】
記憶部１１は、車両を構成するパーツの形状を示す複数の形状情報を、車種及び車両の部位を示す部位情報に関連付けて記憶する。具体的には、記憶部１１は、パスデータを検索するための検索ＤＢと、パスデータを格納するパスデータＤＢとを記憶している。図３は、第１の実施形態に係る検索ＤＢに格納される情報の一例を示す図である。図３に示すように、検索ＤＢは、車種情報としての車種ＩＤ、メーカー名、車種名、車両の年式及び車両のグレードと、車両画像と、後述の形状情報のサムネイル画像と、パスデータを識別するパスデータＩＤとを関連付けて記憶している。車種情報は、パスデータの検索に用いられる。車両画像とサムネイル画像とは、パスデータの検索結果ページに用いられる。
【００３０】
図４は、第１の実施形態に係るパスデータＤＢに格納される情報の一例を示す図である。図４に示すように、パスデータＤＢは、パスデータＩＤと、形状情報と、車両の部位を示す部位情報としての部位コードと、初期表示位置とを関連付けて記憶している。
【００３１】
形状情報は、パスデータを構成し、パーツ画像を表示するための情報であり、例えば、パーツの形状を示すオブジェクトデータである。
部位コードは、各パーツの部位を示すコードであり、各パーツに割り当てられている番号（パーツナンバー）と、パーツ名やパーツの位置に対応した英字との組み合わせから構成されている。
【００３２】
初期表示位置は、複数の形状情報が示すパーツ画像を、後述の編集ページのパスデータ編集領域に表示させる際の、各パーツ画像の座標を示している。各パーツの初期表示位置は、車両における組立位置に対応している。これにより、複数のパーツ画像がパスデータ編集領域に表示される場合に、車両における実際のパーツの位置に対応して複数のパーツ画像を表示することができるので、クライアント端末２のユーザに、それぞれのパーツが何のパーツであるかを把握させやすくすることができる。
【００３３】
制御部１２は、例えば、ＣＰＵにより構成されており、情報生成装置１を統括的に制御する。制御部１２は、認証部１２１と、検索部１２２と、出力制御部１２３と、記憶制御部１２４とを備える。これらの機能については後述する。
【００３４】
［クライアント端末２の構成例］
続いて、クライアント端末２が備える機能について説明する。図５は、第１の実施形態に係るクライアント端末２の機能構成図である。
クライアント端末２は、入力部２１と、表示部２２と、記憶部２３と、制御部２４とを備える。
【００３５】
入力部２１は、例えば、マウスやキーボード等により構成されており、クライアント端末２のユーザから操作入力を受け付ける。
表示部２２は、例えば、液晶ディスプレイや有機ＥＬディスプレイ等により構成される。表示部２２は、制御部２４の制御に応じて文字や図形等を表示する。
【００３６】
記憶部２３は、例えば、ＲＯＭ、ＲＡＭ、ハードディスク、及びクライアント端末２に接続された外部記憶装置等により構成される。この外部記憶装置は、クライアント端末２に直接接続されていてもよいし、ルータ４を介して通信可能に接続されていてもよい。
制御部２４は、例えば、ＣＰＵにより構成されており、クライアント端末２を統括的に制御する。制御部２４は、表示制御部２４１と、選択受付部２４２と、コスト算出部２４３と、作成受付部２４４とを備える。これらの機能については後述する。
【００３７】
［パスデータ表示までのシーケンス］
続いて、情報生成装置１の制御部１２及びクライアント端末２の制御部２４の詳細な機能を説明しながら、保護フィルムの切出しに係る具体的な処理の流れについて説明を行う。まず、パスデータを表示するまでのシーケンスについて説明を行う。図６は、第１の実施形態に係るパスデータを編集するための編集ページが表示されるまでのシーケンス図である。なお、図６に示すシーケンスの始まりにおいて、クライアント端末２は、情報生成装置１に対して認証要求を行っていないものとする。
【００３８】
まず、クライアント端末２のユーザは、クライアント端末２に予めインストールされている専用ブラウザを起動し（Ｓ１）、情報生成装置１に認証ページをリクエストする。情報生成装置１の認証部１２１は、認証ページのリクエストを受信したことに応じて、クライアント端末２に認証ページを送信し、クライアント端末２のユーザのユーザＩＤとパスワードとを受け付ける。
【００３９】
続いて、クライアント端末２において、ユーザＩＤとパスワードとが入力され、認証リクエストが行われると（Ｓ２）、クライアント端末２は、ユーザＩＤと、パスワードと、クライアント端末２のＭＡＣアドレスとを情報生成装置１に送信する。認証部１２１は、クライアント端末２からユーザＩＤと、パスワードと、ＭＡＣアドレスとを受信すると、記憶部１１に記憶されている認証データベースを参照し、受信したユーザＩＤ、パスワード、及びＭＡＣアドレスが記憶されているか否かを判定することによってユーザ認証を行う。
【００４０】
認証部１２１は、ユーザ認証に成功すると、セッションＩＤを生成するとともに、当該セッションＩＤとユーザＩＤとの関連付けを行い、クライアント端末２とのセッションの管理を開始する。また、認証部１２１は、トップページを生成し、クライアント端末２に送信する（Ｓ３、Ｓ４）。クライアント端末２の表示制御部２４１は、トップページを受信すると、表示部２２にトップページを表示させる（Ｓ５）。
【００４１】
図７は、第１の実施形態に係る情報生成装置１が生成したトップページの一例を示す図である。図７に示すように、トップページには、他のページへのリンク群１０１と、通知領域１０２と、ユーザ情報領域１０３と、検索ウィンドウ１０４とが表示されている。
【００４２】
リンク群１０１には、ログインしたユーザに個別の情報を表示するマイページへのリンクと、保護フィルム切出システムＳのマニュアルを表示するヘルプページへのリンクと、管理者への連絡用のページへのリンクとが含まれている。マイページでは、ユーザが過去にパスデータを編集して保存したことにより生成されるパスデータ編集情報の一覧表示や、保護フィルムの登録、登録情報の表示が行われる。
【００４３】
通知領域１０２には、記憶部１１に新規に記憶されたパスデータに係る情報と、イベント等のお知らせに係る情報とが表示される。通知領域１０２には、それぞれの情報に応じて、「一覧をもっと見る」というリンクが表示されている。クライアント端末２のユーザが当該リンクを押下すると、当該リンクに対応するリクエストが情報生成装置１に送信され、情報生成装置１は、それぞれの情報の一覧を表示するページをクライアント端末２に送信する。クライアント端末２の表示制御部２４１は、当該ページを受信し、表示部２２に表示させる。
【００４４】
ユーザ情報領域１０３には、過去にユーザが編集して保存したパスデータのうち、最も新しく記憶された所定数（例えば４個）のパスデータに係る情報として、車両のボディを構成するパーツのサムネイル画像と、編集日時と、パスデータの名称と、パスデータ編集画面へのリンクとが表示される。
【００４５】
検索ウィンドウ１０４は、クライアント端末２のユーザから、保護フィルムを張り付ける車両の車種に対応するパスデータを検索するための検索条件を受け付ける（Ｓ６）。検索ウィンドウ１０４には、国名を選択する領域と、メーカー名を選択する領域と、車種名を選択する領域と、車両の年式を選択する領域と、車両のグレードを選択する領域と、検索ボタンとが設けられている。
【００４６】
検索ウィンドウ１０４は、初期状態において、国名の選択を受け付ける。クライアント端末２のユーザがメーカー名を選択すると、トップページに組み込まれているスクリプトが動作し、選択された国名に対応する車種名が選択可能になる。続いて、クライアント端末２のユーザがメーカー名を選択すると、トップページに組み込まれているスクリプトが動作し、選択されたメーカー名に対応する車種名が選択可能になる。同様に、車種名が選択されると、年式を選択する欄が選択可能になり、年式が選択されると、グレードを選択する欄が選択可能になる。ここで、年式及びグレードは任意で選択可能な項目である。クライアント端末２のユーザが、少なくともメーカー名及び車種名を選択して検索ボタンを押下すると、選択された情報（必須の情報としてメーカー名及び車種名、任意の情報として年式及びグレード）が検索条件を示す情報として情報生成装置１に送信される。
【００４７】
情報生成装置１の検索部１２２は、検索条件を示す情報を受信すると、記憶部１１に記憶されている検索ＤＢを参照し、検索条件に合致する車種ＩＤ、年式、グレード、車両画像、サムネイル画像及びパスデータＩＤを特定する。続いて、検索部１２２は、年式、グレード、及び車両画像と、当該車種ＩＤに対応する検索結果の詳細情報へのリンクとを含む検索結果情報を生成し、クライアント端末２に送信する（Ｓ７）。表示制御部２４１は、検索結果情報を受信すると、検索ウィンドウ１０４と、検索結果情報とを含む検索結果ページを表示部２２に表示させる（Ｓ８）。
【００４８】
続いて、クライアント端末２のユーザは、検索結果ページから、保護フィルムを張り付ける車両に関する詳細情報を含む、検索結果の詳細情報のリンクを選択する（Ｓ９）。続いて、情報生成装置１の検索部１２２は、当該リンクに含まれている車種ＩＤに基づいて、検索ＤＢからサムネイル画像を取得するとともに、パスデータＤＢから、当該車種ＩＤに関連するパスデータＩＤに対応する部位コードを取得する。そして、検索部１２２は、サムネイル画像と、部位コードに対応するパーツの情報と、パスデータＩＤをパラメータとするパスデータの編集ページへのリンクとを含む、検索結果の詳細情報ページを生成し、クライアント端末２に送信する。
【００４９】
クライアント端末２の表示制御部２４１は、検索結果の詳細情報ページを受信して、表示部２２に表示させる。制御部２４は、検索結果の詳細情報ページに含まれているパスデータの編集ページへのリンクが選択されたことに応じて、当該パスデータの編集ページのリクエストを情報生成装置１に送信する。
【００５０】
続いて、情報生成装置１の検索部１２２は、リクエストを受信すると、検索ＤＢを参照し、受信したリクエストに含まれているパスデータＩＤに関連付けられているメーカー名、車種名、年式、グレード、車両画像、及びサムネイル画像を抽出する。また、検索部１２２は、パスデータＤＢを参照し、受信したリクエストに含まれているパスデータＩＤに関連付けられている部位コード、形状情報、及び初期表示位置を抽出する。検索部１２２は、抽出したメーカー名、車種名、年式、グレード、車両画像、及びサムネイル画像、部位コード、形状情報、及び初期表示位置に基づいて、パスデータを編集するための編集ページを生成し（Ｓ１０）、クライアント端末２に送信する。ここで、パスデータの編集では、プロッタ３にセットする保護フィルムの選択、保護フィルムの登録、及び保護フィルムに切り出すパーツ画像の選択等に係る作業が行われる。
クライアント端末２の表示制御部２４１は、編集ページを受信すると、編集ページを表示部２２に表示させる（Ｓ１１）。
【００５１】
図８は、第１の実施形態に係る情報生成装置１が生成した編集ページの一例を示す図である。編集ページは、例えば、Ｆｌａｓｈ（登録商標）によって作成されたウェブページであり、クライアント端末２において実行されるプログラムが含まれている。クライアント端末２の制御部２４は、編集ページに含まれているプログラムを実行することにより、表示制御部２４１と、選択受付部２４２と、コスト算出部２４３と、作成受付部２４４として機能する。
【００５２】
図８に示すように、表示制御部２４１が表示部２２に表示させる編集ページには、編集メニュー２１１と、ツールバー２１２と、パーツ情報ウィンドウ２１３と、第１表示領域としてのパスデータ編集領域２１４と、パーツナンバー対応表２１５と、単位切替領域２１６と、切出サイズ設定領域２１７と、現在サイズ表示領域２１８と、コスト表示領域２１９と、プロッタ切出ボタン２２０と、編集領域リサイズハンドル２２１と、第２表示領域としてのパスデータ印刷領域２２２とが含まれている。
【００５３】
［パスデータ表示から編集終了までのシーケンス］
続いて、パスデータ表示から編集終了までのシーケンスについて説明する。図１２は、第１の実施形態に係るパスデータ表示から編集終了までのシーケンス図である。
【００５４】
まず、クライアント端末２の表示制御部２４１は、図６に示すシーケンスの流れに沿って、情報生成装置１から編集ページを受信し、当該編集ページを表示部２２に表示させる（Ｓ２１）。
続いて、クライアント端末２の制御部２４は、入力部２１を介して操作入力を受け付けることで、編集ページに含まれるプログラムを実行し、編集ページに表示されているパスデータの編集作業を行う（Ｓ２２）。
【００５５】
具体的には、パスデータの編集作業では、ツールバー２１２と、パーツ情報ウィンドウ２１３と、第１表示領域としてのパスデータ編集領域２１４と、パーツナンバー対応表２１５とが操作されることにより、パスデータ印刷領域２２２へのパーツ画像の登録が行われる。
【００５６】
ツールバー２１２は、パスデータの編集を行うためのボタンが複数表示されている。図９は、第１の実施形態に係るツールバー２１２の拡大図である。ツールバー２１２には、９個のボタン２１２Ａ〜ボタン２１２Ｊまでが表示されている。
【００５７】
ボタン２１２Ａは、パーツ画像や複数のパーツ画像から構成されるグループを選択又は移動する場合や、パーツ画像の輪郭を変更する場合に用いられる。ボタン２１２Ｂは、パスデータの表示サイズを拡大、縮小又は等倍に変更する場合に用いられる。ボタン２１２Ｃは、パーツ画像や複数のパーツ画像から構成されるグループをコピー、カット、及びペーストする場合に用いられる。
【００５８】
ボタン２１２Ｄは、編集ページの表示倍率を拡大、縮小又は等倍する場合に用いられる。ボタン２１２Ｅは、複数のパーツ画像をグループ化、又はグループ化された複数のパーツ画像のグループ化の解除を行う場合に用いられる。ボタン２１２Ｆは、ラップに対応しているパーツデータのパーツ画像について、ラップを表示するか否かに用いられる。ここで、ラップとは、保護フィルムをパーツの裏側に巻き込んで施工するための、巻き込み用ののりしろをいう。ボタン２１２Ｆは、ラップを表示するか否かに対応してボタンの表示態様又はボタンに示される画像を変更してもよい。
【００５９】
また、ボタン２１２Ｆの下に、パーツの外周部分のラップの幅を調整するための画面を表示するための調整ボタンを表示し、当該調整ボタンが押下されたことに応じて、調整画面を表示して、ボタン２１２Ｅを押下したことにより表示されたラップのラップ幅をミリ単位で拡大又は縮小できるようにしてもよい。ここで、ラップの幅とは、パーツの外周部分と、ラップの縁との最短の距離をいう。図１０は、第１の実施形態に係るラップ幅の調整画面の一例を示す図である。
【００６０】
図１０に示されるように、調整画面には、変更幅の入力欄と、コピーボタンと、キャンセルボタンと、ＯＫボタンとが設けられている。現在のラップ幅を拡大したい場合には、変更幅の入力欄に対して正の数を入力し、縮小したい場合には、マイナスの符号を付した値を入力する。そして、変更幅の入力欄に数値が入力されている状態において、ＯＫボタン又はコピーボタンが押下されるか、入力部２１に設けられているＥｎｔｅｒキーが押下されると、入力欄に入力された値に基づいてパーツ全体にわたってラップ幅が均等に調整される。
【００６１】
ここで、パーツの頂点付近については、ラップの縁と頂点との距離が等しくなるようにラップ幅が調整される。図１１は、第１の実施形態に係るパーツの頂点におけるラップの状態を示す図である。図１１では、斜線の領域がラップを示している。図１１に示されるように、パーツの頂点Ｐ付近のラップの形状は、頂点Ｐを中心とし、ラップ幅を半径とする扇形であり、ラップの縁と頂点Ｐとの距離がラップ幅に等しいことが確認できる。また、入力欄に入力された値が予め定められた上限値よりも大きいか、予め定められた下限値よりも小さい場合には、ラップ幅を調整できない旨のエラーメッセージを調整画面に表示させてもよい。
【００６２】
他方、キャンセルボタンが押下されると、ラップ幅の調整を行わずに調整画面を消去する。なお、ラップ幅が調整された結果、他のパーツの輪郭とラップ部分の輪郭とが交差して表示される場合に、その旨を警告メッセージとして表示させてもよい。
【００６３】
また、ボタン２１２Ａを操作し、パーツの輪郭線の一部を選択した状態で調整画面を表示させた場合には、当該一部の輪郭線に対応するラップ幅を調整するようにしてもよい。例えば、予めパーツの中には、複数の部分パーツが含まれている。そして、１つの部分パーツが選択されると、選択された部分パーツのラップ幅を調整するための画面が表示される。そして、当該画面においてラップ幅の調整幅が決定されると、選択された部分パーツのラップ幅が個別に変更される。
【００６４】
ボタン２１２Ｇは、オブジェクトを選択し、選択したオブジェクトを移動させるためのボタンである。まず、ボタン２１２Ｇを押下すると、カーソルが、手のひらを示す手のひらアイコンに変化する。続いて、パスデータ編集領域２１４の任意の位置をクリックすると、当該位置を中心として、パスデータ編集領域２１４を上下左右又は斜め方向に移動することができる。なお、手のひらアイコンに係る機能は、専用ブラウザの表示サイズが所定サイズ以下である場合に有効としてもよい。また、Ｓｈｉｆｔキーを押下した状態で画面に配置されているオブジェクトを選択した場合に、カーソルを、手のひらアイコンに変化させてもよい。
【００６５】
ボタン２１２Ｈは、直前に行った操作を取り消して、元の状態に戻すためのボタンである。ボタン２１２Ｉは、ボタン２１２Ｈによって行われた処理を取り消すためのボタンである。すなわち、ボタン２１２Ｈを押下されることによって元の状態に戻されている場合においてボタン２１２Ｉが押下されると、ボタン２１２Ｈによって取り消された操作が実行される。
【００６６】
ボタン２１２Ｊは、選択されているパーツ画像やグループを削除するために用いられる。
なお、ツールバー２１２に含まれるボタン２１２Ａ〜ボタン２１２Ｊのそれぞれに対してショートカットキーを割り当てておき、編集ページが表示されている状態において入力部２１によって当該ショートカットキーが押下されたことに応じて、当該ショートカットキーに対応するボタンに係る処理を実行するプログラムを含んでいてもよい。
【００６７】
パーツ情報ウィンドウ２１３には、パスデータ編集領域２１４に現在表示されているパスデータに対応する情報として、車両の車両画像、メーカー名、車種名、年式、グレード、セット名が表示される。ここで、セット名とは、車両を構成するパーツの組み合わせのバリエーションを示したものである。バリエーションには、例えば、車両のバンパーやボンネット等のフロント部分のパーツの組み合わせを示すフロントパーツセットや、車両を構成する全てのパーツを含む組み合わせを示すオールパーツセットがある。
【００６８】
パスデータ編集領域２１４には、パスデータを構成する複数の形状情報が示すパーツ画像が表示される。パスデータ編集領域２１４に含まれるパーツ画像は、例えば、各頂点の座標を結んだ直線から構成されるオブジェクトであり、入力部２１による操作に応じて表示位置や大きさを変更することができる。ここで、表示制御部２４１は、パスデータ編集領域２１４に表示されている各パーツ画像に、パスデータＤＢにおいて形状情報に関連付けて記憶されている部位コードを関連付けて表示させる。なお、パーツ画像は、ベクター形式の線オブジェクトであってもよい。
【００６９】
パーツナンバー対応表２１５には、パーツナンバーと、パーツ名とが関連付けられて表示されている。パーツナンバー及びパーツ名は、車両の部位を特定する部位特定情報であり、表示制御部２４１は、パーツナンバー及びパーツ名がリスト表示されたパーツナンバー対応表を表示部２２に表示させる。
【００７０】
編集ページが表示部２２に表示されている状態において、制御部２４は、選択受付部２４２として機能し、パスデータ編集領域２１４に表示された複数のパーツ画像のうち、保護フィルムから切り出す対象となるパーツ画像の選択を受け付ける。
具体的には、選択受付部２４２は、入力部２１を介して、パスデータ編集領域２１４に表示されているパーツ画像の選択を受け付ける。表示制御部２４１は、選択されたパーツ画像を、選択されていないパーツ画像の表示態様と異なる表示態様に変化させるとともに、パーツナンバー対応表２１５に含まれるパーツ名のうち、選択されたパーツ画像に対応するパーツ名を、他のパーツ名の表示態様と異なる態様に変化させる。表示制御部２４１は、例えば、符号「０１」が付されている「フロントバンパー」のパーツ画像が選択されると、制御部２４は、パーツナンバー対応表のパーツ名「０１  フロントバンパー」を、他のパーツ名の表示色とは異なる表示色で表示させる。
【００７１】
また、表示制御部２４１は、選択受付部２４２によってパーツナンバー対応表２１５に含まれる、部位特定情報としてのパーツ名が選択されると、選択されたパーツ名に対応するパーツ画像を選択するとともに、当該パーツ画像を他のパーツ画像と異なる態様で表示させる。ここで、パーツナンバー対応表２１５に含まれるパーツ名は、例えば、入力部２１を構成するキーボードの所定キー（例えば、ＳｈｉｆｔキーやＣｔｒｌキー）を操作することで、複数選択することができる。
【００７２】
ここで、表示制御部２４１は、選択受付部２４２によってパーツ画像が選択されると、選択されたパーツ画像に対応するパーツを説明するための情報を掲載した表示領域を新たに表示させてもよい。また、表示制御部２４１は、選択されたパーツ画像に対応するパーツを説明するための情報を含む説明用ファイルのダウンロードを受け付け可能としてもよい。例えば、表示制御部２４１は、選択受付部２４２によってパーツ画像が選択されると、説明用ファイルのダウンロードボタンを編集ページに表示させてもよい。
【００７３】
表示制御部２４１は、選択されたパーツ画像を、パスデータ印刷領域２２２に表示させる。具体的には、表示制御部２４１は、パスデータ編集領域２１４に表示されているパーツ画像が選択された状態で、入力部２１によって当該パーツ画像がパスデータ印刷領域２２２にドラッグアンドドロップされる操作が行われると、当該パーツ画像をパスデータ印刷領域２２２に表示させる。ここで、表示制御部２４１は、ツールバー２１２を構成する各ボタンの操作に応じて、パスデータ編集領域２１４に表示されているパーツ画像を選択し、当該パーツ画像をパスデータ印刷領域２２２に表示させてもよい。
【００７４】
また、表示制御部２４１は、複数のパーツ画像が選択された場合に、これら選択された複数のパーツ画像を、選択された順番に基づいてパスデータ印刷領域２２２に表示させてもよい。例えば、表示制御部２４１は、選択された複数のパーツ画像を、パスデータ印刷領域２２２の左端から、選択された順に表示させる。
【００７５】
また、表示制御部２４１は、パーツナンバー対応表２１５において、パスデータ印刷領域２２２に既に表示されているパーツ画像に対応するパーツ名が選択されると、当該パーツ名に対応するパーツ画像がパスデータ印刷領域２２２に既に表示されている旨を示す警告情報をアラートとして表示してもよい。
【００７６】
また、表示制御部２４１は、選択されたパーツ画像のパスデータ印刷領域２２２における表示倍率を受け付け、その後選択されたパーツ画像についても、受け付けた拡大率に基づいてパスデータ印刷領域２２２に表示させてもよい。例えば、ツールバー２１２のボタン２１２Ｃの操作を受け付けたことに応じて、パスデータ印刷領域２２２における表示倍率を受け付けると、この表示倍率は新たに表示倍率の変更が受け付けられるまで保持される。その後、パスデータ編集領域２１４に表示されているパーツ画像が新たに選択され、当該パーツ画像がパスデータ印刷領域２２２にドラッグアンドドロップされると、当該パーツ画像の表示倍率を、受け付けた表示倍率に合わせて表示させる。これにより、パスデータ印刷領域２２２に対応する保護フィルムの面積の縮小率に合わせてパーツ画像が縮小された表示される。
【００７７】
また、パスデータの編集作業では、編集領域リサイズハンドル２２１に係る操作を行うことにより、パスデータ編集領域２１４の画面の大きさを変更が行われる。
また、パスデータの編集作業では、単位切替領域２１６に表示されているラジオボタンの操作を行うことにより現在サイズ表示領域２１８に表示されているサイズの表示の切替が行われる。具体的には、表示制御部２４１は、単位切替領域２１６に表示されているラジオボタンの選択が行われると、現在サイズ表示領域２１８に表示されている現在のサイズの単位をｃｍ又はｉｎｃｈのいずれかに切り替えて表示する。
【００７８】
また、パスデータの編集作業では、切出サイズ設定領域２１７により、プロッタ３にセットする保護フィルムの選択及び保護フィルムの登録が行われる。
切出サイズ設定領域２１７は、破線と文字列「切出しサイズ」とから構成されるフィットボタンと、フィルム選択欄と、フィルムの種類を追加するためのリンクとを含んでいる。
【００７９】
フィットボタンは、パスデータ印刷領域２２２に表示されている複数のパーツ画像のうち、選択受付部２４２により選択されているパーツ画像のみ保護フィルムに切り出す場合に用いられる。例えば、パスデータ印刷領域２２２に表示されている複数のパーツ画像のうち、一部のパーツ画像が選択されている状態においてフィットボタンがクリックされると、表示制御部２４１は、選択されているパーツ画像を囲むように枠線を表示させるとともに、枠線のサイズを現在サイズ表示領域２１８に表示させる。この状態において、プロッタ切出ボタン２２０がクリックされると、枠線に囲まれているパーツ画像に限定して保護フィルムへの切り出しが行われる。なお、表示制御部２４１は、パスデータ印刷領域２２２において、枠線に囲まれているパーツ画像を移動させる操作が行われると、当該パーツ画像の移動に連動して、枠線の位置を変化させる。
【００８０】
フィルム選択欄は、予め登録されている複数の保護フィルムから、カッティングに用いる保護フィルムの選択を受け付ける。制御部２４は、フィルム選択欄において保護フィルムが選択されると、選択された保護フィルムのサイズ（縦幅及び横幅）を現在サイズ表示領域２１８に表示させるとともに、パスデータ印刷領域２２２のサイズを、選択された保護フィルムのサイズを縮小したサイズに変更する。ここで、制御部２４は、選択された保護フィルムの縦幅及び横幅の少なくともいずれかが、パスデータ印刷領域２２２の縦幅及び横幅の最大値を超えた場合に、選択された保護フィルムに対応してパスデータ印刷領域２２２の大きさを変更できない旨を示すアラートメッセージを表示させてもよい。
フィルムの種類を追加するためのリンクが選択されると、表示制御部２４１は、フィルム登録ページを情報生成装置１から取得し、当該ページを表示部２２に表示させる。
【００８１】
また、パスデータの編集作業では、コスト表示領域２１９に係る操作を行うことによりプロッタに切り出した場合のコストの計算が行われる。
コスト表示領域２１９には、フィルム選択欄において保護フィルムが選択されたことに応じて、現在のパスデータ印刷領域２２２のサイズでプロッタに切り出した場合のコストが表示される。具体的には、制御部２４は、コスト算出部２４３として機能し、パスデータ印刷領域２２２に配置されたパーツ画像の形状と、パーツ画像が配置された位置と、保護フィルムのコストとに基づいて、保護フィルムの切出しにかかるコストを算出する。また、コスト算出部２４３は、フィットボタンによって枠線を表示して一部のパーツ画像が選択された後に「計算／再計算」ボタンがクリックされると、選択されたパーツ画像に基づいてコストの再計算を実行し、コスト表示領域２１９に表示されているコストを更新する。
【００８２】
続いて、クライアント端末２の制御部２４は、編集中のパスデータの編集状態を示す編集情報の保存操作である、編集メニュー２１１の「保存」が選択されたか否かを判定する（Ｓ２３）。制御部２４は、「保存」が受け付けられたと判定すると、編集情報の保存名を受け付ける（Ｓ２４）。具体的には、制御部２４は、保存操作が受け付けられたことに応じて、「新規保存」、「上書き保存」、及び「別名保存」のいずれかを受け付けることにより、編集情報の保存名を受け付ける。
【００８３】
編集情報には、現在の編集ページの状態として、パーツ情報ウィンドウ２１３に表示されている車種情報（車種ＩＤ、メーカー名、車種名、年式及びグレード）と、パスデータ編集領域２１４に表示されている各パーツ画像の座標情報と、単位切替領域２１６における単位の選択状態と、切出サイズ設定領域２１７において選択されている保護フィルムの識別情報と、パスデータ印刷領域２２２に表示されているパーツ画像の座標情報とが含まれている。
【００８４】
続いて、制御部２４は、パスデータの編集情報と、保存名とを情報生成装置１に送信する。
情報生成装置１の記憶制御部１２４は、パスデータの編集情報と、保存名とを受信すると、これら編集情報及び保存名と、セッションＩＤに関連付けられているユーザＩＤとを関連付けて記憶部１１に記憶させる（Ｓ２５）。
【００８５】
続いて、制御部２４は、作成受付部２４４として機能し、選択されたパーツ画像に対応する形状情報に基づく切出し用データの作成を受け付ける。具体的には、クライアント端末２の作成受付部２４４は、プロッタ３に印刷用データを出力するためのボタンであるプロッタ切出ボタン２２０が押下されたか否かを判定することにより、切出指示が行われたか否かを判定する（Ｓ２６）。
【００８６】
作成受付部２４４は、切出指示が行われたと判定すると、プロッタ３に出力する印刷用データの切出リクエストを情報生成装置１に送信する。具体的には、作成受付部２４４は、プロッタ切出ボタン２２０が押下されると、クライアント端末２から情報生成装置１に対して切出し用データの作成リクエストを送信する。この作成リクエストには、パスデータ印刷領域２２２に表示されているパーツ画像に対応する形状情報と、当該パーツ画像の座標情報とが含まれている。
【００８７】
なお、作成受付部２４４は、パスデータ印刷領域２２２にパーツ画像が表示されている場合に限定して、プロッタ３への切出し用データの作成を受け付けるようにしてもよい。すなわち、作成受付部２４４は、パスデータ印刷領域２２２にパーツ画像が表示されていない場合に、プロッタ切出ボタン２２０が押下されてもプロッタ３への切出し用データの作成を受け付けないようにしてもよい。
【００８８】
情報生成装置１の出力制御部１２３は、クライアント端末２により選択され、パスデータ印刷領域２２２に表示されたパーツ画像に対応する形状情報に基づいて、切出し用データを作成してプロッタに出力する。具体的には、出力制御部１２３は、作成リクエストを受信すると、当該リクエストに含まれている形状情報及び座標に係る情報に基づいてプロッタの切出し用データを生成する（Ｓ２７）。情報生成装置１は、作成した切出し用データをクライアント端末２に送信する。
【００８９】
クライアント端末２の制御部２４は、情報生成装置１から切出し用データを受信すると、プロッタ３に当該切出し用データを送信する（Ｓ２８）。これにより、プロッタ３は、切出し用データに基づいて、保護フィルムの切出しを行う。
【００９０】
続いて、クライアント端末２の制御部２４は、編集メニュー２１１の「終了」が選択されたか否かを判定する（Ｓ２９）。制御部２４は、「終了」が受け付けられたと判定すると、表示部２２に表示されている編集ページを非表示にするとともに、直前に表示されていたページのリクエストを情報生成装置１に送信する。
【００９１】
情報生成装置１の制御部１２は、直前に表示されていたページのリクエストを受信すると、当該ページを生成する（Ｓ３０）。制御部１２は、生成したページをクライアント端末２に送信する。
クライアント端末２の制御部２４は、情報生成装置１から受信した、直前に表示されていたページを表示部２２に表示させる（Ｓ３１）。
【００９２】
［第１の実施形態における効果］
以上、第１の実施形態によれば、保護フィルム切出システムＳは、表示制御部２４１により、選択された車種に関連付けられた前記複数の形状情報に対応する複数のパーツ画像を、クライアント端末２の表示部２２の一部の領域であるパスデータ編集領域２１４に表示させ、選択受付部２４２により、第１表示領域に表示された前記複数のパーツ画像のうち、保護フィルムから切り出す対象となるパーツ画像の選択を受け付け、出力制御部１２３により、選択されたパーツ画像に対応する形状情報に基づいて切出し用データを作成してプロッタ３に出力する。
【００９３】
このようにすることで、保護フィルム切出システムＳは、選択された車種に対応して第１表示領域に表示された複数のパーツ画像のうち、選択されたパーツ画像に対応する形状情報に基づいて切出し用データを作成してプロットに出力する。よって、クライアント端末２のユーザは、保護フィルムの切り出しの依頼を受けてからパスデータを作成することなく、短時間で保護フィルムを容易に切り出すことができる。
【００９４】
＜第２の実施形態＞
［複数のパーツ画像を連動してパスデータ印刷領域２２２に表示させる］
続いて、第２の実施形態について説明する。第２の実施形態は、選択受付部２４２が、複数のパーツ画像を連動してパスデータ印刷領域２２２に最適表示させる点で第２の実施形態と異なる。
【００９５】
第２の実施形態において、情報生成装置１の記憶部１１には、複数の形状情報に対応するパーツ画像のそれぞれと、関連する他の形状情報に対応するパーツ画像との、互いにパスデータ印刷領域２２２に配置された際の相対的な配置位置が関連付けられた相対位置情報を格納する相対位置ＤＢが記憶されている。
【００９６】
図１３は、第２の実施形態に係る相対位置ＤＢに格納される情報の一例を示す図である。図１３に示されるように、相対位置ＤＢには、パスデータＩＤと、パーツ画像を示す形状情報と、当該形状情報の回転角と、当該形状情報に関連する他の形状情報と、相対位置と、他の形状情報の回転角とが関連付けられて記憶されている。
【００９７】
ここで、回転角は、画像データの表示態様の基準に対する回転角を示している。また、相対位置は、形状情報の位置を基準とした、他の形状情報の相対位置である。なお、相対位置ＤＢでは、形状情報に関連する他の形状情報を１つの形状情報のみ示したが、これに限らず、他の形状情報の数が複数であってもよい。また、一のパスデータＩＤに対して複数の相対位置情報が関連付けられていてもよい。
【００９８】
第２の実施形態において、情報生成装置１の検索部１２２は、パスデータを編集するための編集ページを生成する際に、相対位置ＤＢを参照し、編集ページに対応するパスデータＩＤに関連付けられている相対位置情報を抽出する。そして、検索部１２２は、抽出した相対位置情報を含む編集ページを生成し、クライアント端末２に送信する。
【００９９】
クライアント端末２の表示制御部２４１は、編集ページを受信すると、第１の実施形態と同様に表示部２２に編集ページを表示させる。その後、選択受付部２４２は、編集ページのパスデータ編集領域２１４に表示されている複数のパーツ画像、又はパーツナンバー対応表２１５から、保護フィルムに切り出すパーツ画像の選択を受け付ける。
【０１００】
選択受付部２４２は、選択されたパーツ画像をパスデータ印刷領域２２２に表示させるとともに、関連する他のパーツ画像を、相対的な配置位置に基づいてパスデータ印刷領域２２２に表示させる。具体的には、選択受付部２４２は、パスデータ編集領域２１４に表示されているパーツ画像が選択され、当該パーツ画像がパスデータ印刷領域２２２にドラッグアンドドロップされる操作が行われると、編集ページに含まれている相対位置情報を参照し、選択されたパーツ画像の回転角を特定する。そして、選択受付部２４２は、選択されたパーツ画像を、特定した回転角に基づいて回転させてパスデータ印刷領域２２２に表示させる。
【０１０１】
続いて、選択受付部２４２は、選択されたパーツ画像に対応する他のパーツ画像の相対位置及び回転角を特定する。そして、選択受付部２４２は、選択されたパーツ画像の位置と、他のパーツ画像の相対位置とに基づいて、パスデータ印刷領域２２２における他のパーツ画像の表示位置を特定し、当該他のパーツ画像を特定した回転角に基づいて回転させてパスデータ印刷領域２２２に表示させる。
【０１０２】
例えば、パスデータ編集領域２１４において、図１３に示す形状情報「ＡＢＣ−１−０８Ｒ．ｏｂｊ」に対応するパーツ画像「０８−Ｒ」が選択されたとすると、当該パーツ画像「０８−Ｒ」の回転角は０度であることから、選択受付部２４２は、当該パーツ画像「０８−Ｒ」を基準角度から回転させずにパスデータ印刷領域２２２に表示させる。続いて、当該パーツ画像「０８−Ｒ」に関連する他のパーツ画像「０８−Ｌ」の形状情報「ＡＢＣ−１−０８Ｌ．ｏｂｊ」は、相対位置が（０，２００）、回転角が２７０度であることから、選択受付部２４２は、他のパーツ画像「０８−Ｌ」を、パーツ画像「０８−Ｒ」の位置から相対位置（０，２００）だけ移動させるとともに、２７０度回転させてパスデータ印刷領域２２２に表示させる。
【０１０３】
図１４は、選択受付部２４２により、パーツ画像「０８−Ｒ」が選択され、パスデータ印刷領域２２２に表示された際に、当該パーツ画像「０８−Ｒ」に関連する他のパーツ画像「０８−Ｌ」もパスデータ印刷領域２２２に表示された例を示す。図１４に示されるように、パスデータ印刷領域２２２には、選択したパーツ画像「０８−Ｒ」と、関連する他のパーツ画像「０８−Ｌ」とが、保護フィルムの切出し時のロスが少なくなるように配置されるので、切出しに係るコストを削減することができる。
【０１０４】
＜第３の実施形態＞
［切出しコストに基づいて最適な配置組み合わせを通知する］
続いて、第３の実施形態について説明する。第３の実施形態において情報生成装置１は、複数のパーツ画像をパスデータ印刷領域２２２に配置する際に、最適な配置組み合わせを通知する点で第１の実施形態と異なる。
【０１０５】
第３の実施形態において、記憶制御部１２４は、コスト算出部２４３が算出したコストと、当該コストに対応するパーツ画像の組み合わせと、当該パーツ画像の配置位置と、当該パーツ画像に対応する車種情報とを関連付けて記憶部１１に記憶させる。
【０１０６】
具体的には、記憶部１１は、図１５に示すように、ユーザＩＤと、車種情報と、パーツ画像の組み合わせと、当該パーツ画像の配置位置を示す配置位置情報と、当該パーツ画像を保護フィルムに切出した際のコストとを関連付けたコストＤＢを備えている。
【０１０７】
記憶制御部１２４は、例えば、出力制御部１２３がクライアント端末２から切出し用データの作成リクエストを受信すると、当該作成リクエストに含まれている、パスデータ印刷領域２２２に表示されているパーツ画像に対応する形状情報と、当該パーツ画像の座標情報に基づいて、パーツ画像の組み合わせと、当該パーツ画像の配置位置とを特定する。また、記憶制御部１２４は、クライアント端末２から、ユーザＩＤと、車種情報と、コスト算出部２４３が算出したコストとを受信する。そして、記憶制御部１２４は、ユーザＩＤと、車種情報と、パーツ画像の組み合わせと、当該パーツ画像の配置位置と、コストとを関連付けてコストＤＢに記憶させる。
【０１０８】
なお、クライアント端末２の制御部２４は、他のユーザにパーツ画像の組み合わせに対応する配置位置情報を公開するか否かをクライアント端末２のユーザから受け付けてもよい。そして、記憶制御部１２４は、クライアント端末２において、他のユーザに配置位置情報を公開することが許可されている場合に限定して、コストＤＢにユーザＩＤと、車種情報と、パーツ画像の組み合わせと、当該パーツ画像の配置位置と、コストとを関連付けて記憶させてもよい。
【０１０９】
第３の実施形態のクライアント端末２は、図１６に示すように、通知部２４５をさらに備える。
通知部２４５は、選択受付部２４２が複数のパーツ画像を受け付けたことに応じて、記憶部１１のコストＤＢに記憶され、当該複数のパーツ画像に対応するコストのうち、最も低いコストに対応する複数のパーツ画像の配置位置を通知する。
【０１１０】
具体的には、例えば、編集ページに、「最適配置ボタン」を設けておき、当該ボタンが押下されると、通知部２４５は、ユーザＩＤと、パスデータ印刷領域２２２に現在表示されているパーツ画像の組み合わせを示す情報と、車種情報とを情報生成装置１に送信する。
【０１１１】
続いて、情報生成装置１の制御部１２は、ユーザＩＤと、パーツ画像の組み合わせを示す情報と、車種情報とを受信すると、コストＤＢを参照し、受信したユーザＩＤとは異なる他のユーザＩＤ、当該パーツ画像の組み合わせを示す情報、及び車種情報と関連付けられているコストのうち、最も低いコストを特定する。そして、制御部１２は、特定したコストに関連付けられている配置位置情報を特定する。そして、制御部１２は、特定したコストを示す情報と、配置位置情報とをクライアント端末２に送信する。
【０１１２】
通知部２４５は、情報生成装置１から、コストを示す情報と、配置位置情報とを受信すると、パスデータ印刷領域２２２に表示されている複数のパーツ画像を、配置位置情報に基づいて表示位置を変更するとともに、コスト表示領域２１９のコストを受信したコストを示す情報に基づいて更新する。
【０１１３】
なお、通知部２４５は、現在のコストと受信したコストとを比較し、受信したコストが低い場合に、パスデータ印刷領域２２２に現在表示されているパーツ画像の配置位置を、受信した配置位置情報に基づく配置位置に切り替えるか否かを選択するメッセージを表示させてもよい。そして、通知部２４５は、切り替える旨が選択された場合に、パスデータ印刷領域２２２に表示されているパーツ画像を、配置位置情報に基づいて表示位置を変更してもよい。
【０１１４】
このようにすることで、クライアント端末２のユーザは、新たに車種を選択し、複数のパーツ画像を選択した際に、最も切出しコストが低いパーツ画像の配置位置に基づいて切出しを行うことができる。
【０１１５】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。そのような変更又は改良を加えた形態も本発明の技術的範囲に含まれ得ることが、特許請求の範囲の記載から明らかである。例えば、以下の変形例があげられる。
【０１１６】
［変形例１］
上記の実施形態では、情報生成装置１が出力制御部１２３を備え、クライアント端末２が表示制御部２４１、選択受付部２４２、コスト算出部２４３、及び作成受付部２４４を備えることとしたが、情報生成装置１及びクライアント端末２の少なくともいずれかが、出力制御部１２３、表示制御部２４１、選択受付部２４２、コスト算出部２４３、及び作成受付部２４４を備えるようにしてもよい。
【０１１７】
例えば、クライアント端末２が出力制御部１２３を備え、プロッタ３に出力する切出し用データを作成してもよい。また、情報生成装置１が、選択受付部２４２を備え、クライアント端末２の操作に応じて、パーツ画像を選択してもよい。
【０１１８】
［変形例２］
上記の第３の実施形態では、情報生成装置１は、パスデータ印刷領域２２２に表示された複数のパーツ画像の配置組み合わせと、当該配置組み合わせに対応してコスト算出部２４３が算出したコストとを関連付けて記憶しておき、パーツ画像をパスデータ印刷領域２２２に配置する際に、最適な配置組み合わせを通知したが、複数のパーツ画像の配置組み合わせと、これらのパーツ画像を切出す際に必要となる保護フィルムの面積とを関連付けて記憶してもよい。
【０１１９】
そして、通知部２４５は、選択受付部２４２が複数のパーツ画像を受け付けたことに応じて、パーツ画像を切出す際に必要となる保護フィルムの面積が最も小さい面積に対応する複数のパーツ画像の配置位置を通知してもよい。
【０１２０】
［変形例３］
上記の実施形態においては、保護フィルムを貼り付ける対象となる物品が自動車である場合について説明したが、本発明を他の物品に適用することも可能である。例えば、本発明を建物や情報端末に適用することも可能である。
【０１２１】
本発明が建物に適用される場合、記憶部１１は、建物を構成する窓ガラス等のパーツの形状を示す複数の形状情報を、建物の種別及び建物における部位を示す部位情報に関連付けて記憶する。形状情報には、パーツの大きさを示す情報も含まれる。
【０１２２】
情報生成装置１及びクライアント端末２の少なくともいずれかは、選択された建物の種別に関連付けられた複数の形状情報に対応する複数のパーツ画像を、クライアント端末２の表示部２２の一部の領域である第１表示領域に表示させる表示制御部２４１と、第１表示領域に表示された複数のパーツ画像のうち、保護フィルムから切り出す対象となるパーツ画像の選択を受け付ける選択受付部２４２と、選択されたパーツ画像に対応する形状情報に基づいて切出し用データを作成してプロッタに出力する出力制御部１２３とを有してもよい。
【符号の説明】
【０１２３】
１・・・情報生成装置、１１・・・記憶部、１２・・・制御部、１２１・・・認証部、１２２・・・検索部、１２３・・・出力制御部、１２４・・・記憶制御部、２・・・クライアント端末、２１・・・入力部、２２・・・表示部、２３・・・記憶部、２４・・・制御部、２４１・・・表示制御部、２４２・・・選択受付部、２４３・・・コスト算出部、２４４・・・作成受付部、２４５・・・通知部、３・・・プロッタ、Ｎ・・・ネットワーク、Ｓ・・・保護フィルム切出システム
【図１】
2015114767.tif 000003
【図２】
2015114767.tif 000004
【図３】
2015114767.tif 000005
【図４】
2015114767.tif 000006
【図５】
2015114767.tif 000007
【図６】
2015114767.tif 000008
【図７】
2015114767.tif 000009
【図８】
2015114767.tif 000010
【図９】
2015114767.tif 000011
【図１０】
2015114767.tif 000012
【図１１】
2015114767.tif 000013
【図１２】
2015114767.tif 000014
【図１３】
2015114767.tif 000015
【図１４】
2015114767.tif 000016
【図１５】
2015114767.tif 000017
【図１６】
2015114767.tif 000018
【国際調査報告】
2015114767.tif 000019
2015114767.tif 000020
2015114767.tif 000021
2015114767.tif 000022